(57)【要約】【課題】外側カバー内部に部品が配置されても、外側カバーから出射される光の拡散性を維持しつつ、外側カバーに部品の影が映り込むことを抑制する照明器具を提供する。【解決手段】照明器具は、光を照射する光源と、光源の照射側に設けられる光源カバーと、光源及び光源カバーを保持するケースと、ケースに取り付けられ、光源カバー上に配置される光拡散性を有する外側カバーと、ケースに取り付けられ、光源の照射側に露出する露出部を有し、外側カバーの内部の外縁側に配置される部品と、を備え、外側カバーの中央に向かう光の量は、外側カバーの外縁側に向かう光の量よりも多い。【選択図】図８
2019133887.tif 000002
【特許請求の範囲】
【請求項１】
光を照射する光源と、
前記光源の照射側に設けられる光源カバーと、
前記光源及び前記光源カバーを保持するケースと、
前記ケースに取り付けられ、前記光源カバー上に配置される光拡散性を有する外側カバーと、
前記ケースに取り付けられ、前記光源の照射側に露出する露出部を有し、前記外側カバーの内部の外縁側に配置される部品と、を備え、
前記外側カバーの中央に向かう光の量は、前記外側カバーの外縁側に向かう光の量よりも多い
照明器具。
【請求項２】
前記光源はＬＥＤであり、前記光源カバーが透明である
請求項１記載の照明器具。
【請求項３】
前記部品の前記露出部は、
前記露出部の幅の分以上、前記外側カバーから離れて配置されている
請求項１又は２記載の照明器具。
【請求項４】
前記部品は、線材からなる
請求項１〜３のいずれか１項に記載の照明器具。
【請求項５】
前記部品には、光を反射する材料が塗装されている
請求項１〜４のいずれか１項に記載の照明器具。
【発明の詳細な説明】
【技術分野】
【０００１】
本発明は、光源が光源カバーに覆われた照明器具に関する。
【背景技術】
【０００２】
従来、中央に配置された光源を光源カバーで覆い、光源カバーを外側カバーで覆う照明器具が提案されている（例えば特許文献１参照）。特許文献１の照明器具において、光源から照射された光は、光源カバーを通過して、外側カバーに到達し、更に外部に配光される。
【先行技術文献】
【特許文献】
【０００３】
【特許文献１】特開２０１６−２０７３８６号公報
【発明の概要】
【発明が解決しようとする課題】
【０００４】
しかしながら、特許文献１に開示された照明器具において、外側カバー内部の外側カバーから近い位置に部品が配置されると、外側カバーに部品の影が映り込むおそれがある。
【０００５】
本発明は、上記のような課題を解決するためになされたもので、外側カバー内部に部品が配置されても、外側カバーから出射される光の拡散性を維持しつつ、外側カバーに部品の影が映り込むことを抑制する照明器具を提供するものである。
【課題を解決するための手段】
【０００６】
本発明に係る照明器具は、光を照射する光源と、光源の照射側に設けられる光源カバーと、光源及び光源カバーを保持するケースと、ケースに取り付けられ、光源カバー上に配置される光拡散性を有する外側カバーと、ケースに取り付けられ、光源の照射側に露出する露出部を有し、外側カバーの内部の外縁側に配置される部品と、を備え、外側カバーの中央に向かう光の量は、外側カバーの外縁側に向かう光の量よりも多い。
【発明の効果】
【０００７】
本発明によれば、外側カバーの中央に向かう光の量は、外側カバーの外縁側に向かう光の量よりも多い。このため、外側カバーの内部の外縁側に配置される部品に光が当たらない。よって、外側カバーから出射される光の拡散性を維持しつつ、外側カバーに部品の影が映り込むことを抑制することができる。
【図面の簡単な説明】
【０００８】
【図１】本発明の実施の形態１に係る照明器具１を示す組立斜視図である。
【図２】本発明の実施の形態１に係る照明器具１を示す側面図である。
【図３】本発明の実施の形態１に係る照明器具１を示す分解斜視図である。
【図４】本発明の実施の形態１に係る照明器具１を示す更なる分解斜視図である。
【図５】本発明の実施の形態１に係る照明器具１において外側カバー３が外された状態を示す分解斜視図である。
【図６】本発明の実施の形態１に係る照明器具１を示す更なる分解斜視図である。
【図７】本発明の実施の形態１に係る照明器具１において外側カバー３が外された状態を示す断面図である。
【図８】本発明の実施の形態１に係る照明器具１を示す断面図である。
【図９】本発明の実施の形態１において外側カバー３が外れたときの状態を示す側面図である。
【図１０】本発明の実施の形態１に係る照明器具１を示す斜視図である。
【図１１】比較例に係る照明器具１００を示す斜視図である。
【図１２】本発明の実施の形態１に係る照明器具１を示す断面図である。
【発明を実施するための形態】
【０００９】
実施の形態１．
以下、本発明に係る照明器具の実施の形態について、図面を参照しながら説明する。図１は、本発明の実施の形態１に係る照明器具１を示す組立斜視図であり、図２は、本発明の実施の形態１に係る照明器具１を示す側面図である。図３は、本発明の実施の形態１に係る照明器具１を示す分解斜視図であり、図４は、本発明の実施の形態１に係る照明器具１を示す更なる分解斜視図である。図１〜図４に示すように、照明器具１は、天井等の被取付部に取り付けられるケース２と、ケース２に取り付けられる外側カバー３と、目隠し板４と、内部構成部材５と、落下防止金具６とを備えている。
【００１０】
ケース２は、例えば樹脂からなり、被取付部側の底面２５から延びる有底円筒状をなしている。ケース２の内壁には、外側カバー３と螺合する雌ネジ２１が形成されている。ケース２の中央には、底面２５から照射側に突出する円筒状をなし、内部構成部材５の光源モジュール５１を支持する第１の支柱２２が設けられている。第１の支柱２２の側面には、光源モジュール５１の押さえ板５１ｃを固定するためのネジが螺合するネジ穴が形成された第２の支柱２３が設けられている。第２の支柱２３は、第１の支柱２２を補強するリブの機能を有している。ケース２の外縁部には、目隠し板４を固定するためのネジが螺合するネジ穴が形成された２つの第３の支柱２４が設けられている。
【００１１】
外側カバー３は、例えばガラスからなり、有底円筒状をなしている。外側カバー３は、乳白色であり、拡散性を有する。外側カバー３の照射側の正面部３１は、例えば床に対向している。外側カバー３の側壁３ａにおいて、開口部側の周壁部３２の外壁には、ケース２と螺合する雄ネジ３３が形成されている。周壁部３２は、外側カバー３の最外側よりも内側に縮径している。外側カバー３の雄ネジ３３がケース２の雌ネジ２１に螺合することにより、外側カバー３がケース２に固定される。外側カバー３の雄ネジ３３が形成されている場所には、リング状のカバーパッキン３４が取り付けられている。カバーパッキン３４は、例えばＯリングであり、ケース２及び外側カバー３の内部に水又は埃等が侵入することを抑制する。
【００１２】
目隠し板４は、例えば樹脂からなり、円板状をなしている。目隠し板４の中央には、内部構成部材５の光源モジュール５１が挿入される孔４１が形成されている。目隠し板４の周縁部には、第３の支柱２４とネジ止めされる２つの孔４２と、内部構成部材５の点検スイッチ５７が挿入される孔４３と、内部構成部材５の点検モニタ５６の表示窓４４と、落下防止金具６が挿入される切欠き４５とが形成されている。
【００１３】
図５は、本発明の実施の形態１に係る照明器具１において外側カバー３が外された状態を示す分解斜視図であり、図６は、図５よりも更に分解された分解斜視図である。図７は、本発明の実施の形態１に係る照明器具１において外側カバー３が外された状態を示す断面図である。なお、図７は、図２のＡ−Ａ断面図である。図５〜図７に示すように、内部構成部材５は、光源モジュール５１、電源５２、バッテリ５３、非常用点灯装置５４、電源端子台５５、点検モニタ５６及び点検スイッチ５７からなる。
【００１４】
光源モジュール５１は、光源５１ａと、ソケット５１ｂと、押さえ板５１ｃと、光源カバー５１ｄとを有している。光源５１ａは、例えばＣＯＢ（Ｃｈｉｐ  ｏｎ  Ｂｏａｒｄ）ＬＥＤからなり、正面方向に照射される光の量が多い配光分布を有している。なお、複数の光源５１ａが基板上に配置されたものが使用されてもよい。ソケット５１ｂは、例えばセラミック製であり、光源５１ａを保持し、且つ光源５１ａから発生する熱を放散させる。ソケット５１ｂは、複数のネジによって押さえ板５１ｃに固定される。押さえ板５１ｃは、例えばアルミニウム製であり、光源５１ａ及びソケット５１ｂを保持し、且つ光源５１ａから発生する熱を放散させる。
【００１５】
押さえ板５１ｃは、ケース２の第２の支柱２３に形成されたネジ穴にネジが挿入されて固定される。なお、ソケット５１ｂと押さえ板５１ｃとを固定するネジを用いて、光源５１ａを挟持するソケット５１ｂと押さえ板５１ｃとを第１の支柱２２に共締めしてもよい。このように、光源５１ａは、ソケット５１ｂと押さえ板５１ｃとに挟持されている。光源カバー５１ｄは、透明であり、光源５１ａの照射側に設けられ、第２の支柱２３に形成されたネジ穴にネジが挿入されて、押さえ板５１ｃと共締めにより固定される。光源モジュール５１は、第１の支柱２２に保持されることにより、ケース２の底面２５から照射側に離れた場所に位置している。光源モジュール５１は、目隠し板４の孔４１に挿入され、外側カバー３側に露出する。
【００１６】
電源５２は、ケース２に保持され、外部の商用電源から供給された電力を光源モジュール５１に供給する。バッテリ５３は、ケース２に保持され、外部の商用電源から電力が供給されている通常時に、非常用点灯装置５４によってトリクル充電されている。バッテリ５３は、外部の商用電源からの電力供給が停止する非常時に、非常用点灯装置５４を介して光源モジュール５１に電力を供給する。また、バッテリ５３は、照明器具１の点検時にも、非常用電灯装置を介して光源モジュール５１に電力を供給する。非常用点灯装置５４は、ケース２に保持され、バッテリ５３をトリクル充電する。電源端子台５５は、ケース２に保持され、外部の商用電源からの電源５２を供給する電線が接続される端子を複数有する。
【００１７】
点検モニタ５６は、ケース２に保持され、目隠し板４の表示窓４４を介して外側カバー３側から視認することができる。点検モニタ５６は、例えばＬＥＤを有する。点検モニタ５６のＬＥＤは、バッテリ５３が充分に充電されている場合、緑色に点灯する。本実施の形態１では、外部の商用電源から４８時間以上電力が供給されることにより、バッテリ５３が充分に充電され、点検モニタ５６のＬＥＤが点灯する。点検モニタ５６のＬＥＤは、バッテリ５３が充分に充電されていない場合、非点灯となる。バッテリ５３と非常用点灯装置５４とが電気的に接続されていない場合も、点検モニタ５６のＬＥＤは非点灯となる。これにより、バッテリ５３の充電及びバッテリ５３から光源モジュール５１に電力を供給することができないことを認識することができる。
【００１８】
点検スイッチ５７は、ケース２に保持され、目隠し板４の孔４３に挿入されて、外側カバー３側に露出する。点検者が、点検時に点検スイッチ５７を操作することにより、バッテリ５３から非常用点灯装置５４を介して光源モジュール５１に直流電力が供給される。点検者は、点検スイッチ５７を操作したときの点検モニタ５６のＬＥＤの表示状態によって、バッテリ５３の充電状態を確認することができる。
【００１９】
本実施の形態１の照明器具１は、通常時に常時点灯する照明とすることができる。なお、商用電源を供給する配線の外部スイッチが設けられていてもよい。この場合、外部スイッチがオンされている場合、光源モジュール５１が点灯し、外部スイッチがオフされている場合、光源モジュール５１が非点灯となる。このように、外部スイッチが設けられることにより、常時点灯ではなく必要時に点灯することができる照明とすることもできる。
【００２０】
図８は、本発明の実施の形態１に係る照明器具１を示す断面図である。図８は、図２のＢ−Ｂ断面図である。図８に示すように、落下防止金具６は、ケース２の底面２５の外縁部に取り付けられ、光源５１ａの照射側に露出しない非露出部６１と、光源５１ａの照射側に露出する露出部６２とを有している。落下防止金具６は、例えば線材を折り曲げて形成されたステンレス鋼の部品であり、目隠し板４の切欠き４５に挿入されている。落下防止金具６の線径は、例えば５ｍｍより小さい。落下防止金具６は、外側カバー３の内部において外縁側に寄せて配置されている。
【００２１】
非露出部６１は、目隠し板４によって外側カバー３が開かれても見えない。露出部６２は、非露出部６１から照射側に延びる垂直部６３と、垂直部６３に接続され水平方向且つ外側カバー３の外周側に延びる水平部６４と、水平部６４に接続され被取付面側に延びる先端部６５とを有している。水平部６４は、外側カバー３が落下後に回転した際に落下防止金具６の先端部６５以外の場所に接触しないように水平方向に延伸されている。なお、水平部６４は、外側カバー３の正面部３１に寄せて配置されている。先端部６５は、外側カバー３の周壁部３２の直下に位置するように配置され、かぎ状をなしている。
【００２２】
本実施の形態１では、外側カバー３の落下を防止する部品として、落下防止金具６について例示しているが、落下防止チェーンとしてもよい。落下防止チェーンは、一端がケース２に固定され、他端が外側カバー３に固定される。この場合、外側カバー３に、落下防止チェーンの他端を固定するための穴又は板金等を設ける必要がある。
【００２３】
図９は、本発明の実施の形態１において外側カバー３が外れたときの状態を示す側面図である。ここで、落下防止金具６の機能について説明する。仮に外側カバー３がケース２から脱落して落下しても、外側カバー３の周壁部３２が落下防止金具６の先端部６５に引っ掛かって保持されるため、先端部６５に当たった周壁部３２は落下しない。このとき、外側カバー３において、先端部６５に当たった周壁部３２と対角線上に位置する部分は、落下し続ける。そして、外側カバー３は、先端部６５に当たった周壁部３２を支点として、外側カバー３の開口部が垂直方向となるように約９０°回転する。図９に示すように、この状態で、外側カバー３が落下防止金具６に保持されて落下を防止することができる。
【００２４】
本実施の形態１の照明器具１は、非常用の照明器具として用いることができる。また、光源５１ａは、非常用の光源として用いることができる。この場合、社団法人日本照明器具１工業会発行の「非常用照明器具技術基準（ＪＩＬ５５０１−２００９）」付属書８「建設省告示第１８３０号に適合するＬＥＤ光源を用いた非常用照明器具に関する技術基準」に準拠して、光源カバー５１ｄの材質を不燃材料又はＪＩＳ  Ｃ  ６０６９５−２−１１（８５０℃）に適合する材料とし、外側カバー３の材質を例えばガラスといった不燃材料とする必要がある。
【００２５】
図１０は、本発明の実施の形態１に係る照明器具１を示す斜視図である。次に、外側カバー３への影１１、１２の映り込みについて説明する。図１０に示すように、外側カバー３及びケース２の内部に、落下防止金具６が設けられている。外側カバー３の光源モジュール５１の照射側には、外側カバー３への部品の影１１、１２が映り込まないように部品を極力配置しないことが望ましい。ただ、本実施の形態１では、落下防止等の安全確保の観点から、落下防止金具６が配置されている。
【００２６】
ここで、外側カバー３は、光拡散性を有するため、光源モジュール５１から照射された光を拡散して、外側カバー３の光のむらを抑制すると共に、外側カバー３内に配置された部品の影１１、１２の映り込みを抑制する。落下防止金具６の先端部６５が、外側カバー３の落下時に周壁部３２に確実に当たるように、落下防止金具６は、外側カバー３の側壁３ａ側に寄せて配置されている。
【００２７】
図１１は、比較例に係る照明器具１００を示す斜視図である。図１１に示すように、落下防止金具６が外側カバー３の側壁３ａ側に寄せて配置されていると、点灯時に、外側カバー３の側壁３ａに側壁方向の影１１が映り込む。また、落下防止金具６の水平部６４が外側カバー３の正面部３１に寄せて配置されていると、点灯時に、外側カバー３の正面部３１に正面方向の影１２が映り込む。
【００２８】
図１２は、本発明の実施の形態１に係る照明器具１を示す断面図である。次に、影の映り込みの抑制について説明する。先ず、側壁方向の影１１を抑制する構成について説明する。本実施の形態１では、影１１の映り込みを抑制するため、図１２における矢印Ｃ方向への光の量を減らす。本実施の形態１では、光源カバー５１ｄが透明であるため、正面部３１への配光が大きい光源５１ａから照射された光は、矢印Ｃ方向にあまり進まず、矢印Ｂ方向に主に進む。これにより、外側カバー３の側壁３ａが暗くなり、側壁方向の影１１の映り込みを抑制することができる。このように、本実施の形態１では、外側カバー３の中央に向かう光の量は、外側カバー３の外縁側に向かう光の量よりも多い。
【００２９】
次に、正面方向の影１２を抑制する構成について説明する。外側カバー３の内部に配置された部品と外側カバー３との間の距離が近いほど、影１２の映り込みは顕著となる。そこで、本実施の形態１では、外側カバー３と外側カバー３内の部品である落下防止金具６とを離隔している。具体的には、外側カバー３と落下防止金具６との間の距離が５ｍｍ未満の場合、外側カバー３への影１２の映り込みが顕著となる。そこで、落下防止金具６の先端部６５及び水平部６４を目隠し板４に近づけることにより、外側カバー３の正面部３１と水平部６４とを離隔している。正面部３１と水平部６４との間の距離を５ｍｍ以上とすることにより、正面方向の影１２の映り込みを抑制することができる。なお、落下防止金具６のうち影１２の影響が大きい部分と光源カバー５１ｄとの間の距離は、１００ｍｍ以上確保されている。
【００３０】
本実施の形態１によれば、外側カバー３の中央に向かう光の量は、外側カバー３の外縁側に向かう光の量よりも多い。このため、外側カバー３の内部の外縁側に配置される部品に光が当たらない。よって、外側カバー３から出射される光の拡散性を維持しつつ、外側カバー３に部品の影が映り込むことを抑制することができる。
【００３１】
なお、落下防止金具６の先端部６５は、外側カバー３の落下時に外側カバー３の周壁部３２に当たるように配置されているため、先端部６５と外側カバー３との間の距離は５ｍｍが限度である。また、落下防止金具６の線径は５ｍｍより小さいため、更に外側カバー３への影１２の映り込みに影響する投影面積を小さくすることができる。このように、落下防止金具６は、落下防止金具６の露出部６２の幅の分以上、外側カバー３から離れて配置されていることにより、外側カバー３への影１２の映り込みを抑制することができる。
【００３２】
落下防止金具６は、塗装を不要とする材質であるステンレス鋼で形成されているが、表面を保護するために塗装されていてもよい。この場合、落下防止金具６は、光を拡散させるように反射させる樹脂で塗装されることが好ましい。
【符号の説明】
【００３３】
１  照明器具、２  ケース、３  外側カバー、４  目隠し板、５  内部構成部材、６  落下防止金具、１１  影、１２  影、２１  雌ネジ、２２  第１の支柱、２３  第２の支柱、２４  第３の支柱、２５  底面、３１  正面部、３２  周壁部、３３  雄ネジ、３４  カバーパッキン、４１  孔、４２  孔、４３  孔、４４  表示窓、４５  切欠き、５１  光源モジュール、５１ａ  光源、５１ｂ  ソケット、５１ｃ  押さえ板、５１ｄ  光源カバー、５２  電源、５３  バッテリ、５４  非常用点灯装置、５５  電源端子台、５６  点検モニタ、５７  点検スイッチ、６１  非露出部、６２  露出部、６３  垂直部、６４  水平部、６５  先端部、１００  照明器具。
【図１】
2019133887.tif 000003
【図２】
2019133887.tif 000004
【図３】
2019133887.tif 000005
【図４】
2019133887.tif 000006
【図５】
2019133887.tif 000007
【図６】
2019133887.tif 000008
【図７】
2019133887.tif 000009
【図８】
2019133887.tif 000010
【図９】
2019133887.tif 000011
【図１０】
2019133887.tif 000012
【図１１】
2019133887.tif 000013
【図１２】
2019133887.tif 000014